(57)【要約】【課題】ＡＶコンテンツを暗号化することなく１回限り複製することを許容し、その複製物をさらに複製することを防止することにより著作権を保護するＡＶシステムを提供する。【解決手段】ホームサーバ１０のハードディスク１６は、セキュアなシステム領域２０と、ノンセキュアなユーザ領域２２とに分割される。パソコン１２は、ホームサーバ１０を探索して接続を確立することにより認証を行う。パソコン１２はリッピング部２８及び再生部３０を備える。ネットワーク型オーディオ機器１４も再生部３０を備え、認証を行う。リッピング部２８は、認証を終えた後、音楽ＣＤ２６から楽曲データをリッピングしてシステム領域２０に複製する。再生部３０は、認証を終えた後、楽曲データをシステム領域２０から読み出してストリーミング方式で音楽を再生する。【選択図】　　　　図１
2004063032.tif 000002
【特許請求の範囲】
【請求項１】
セキュアな記憶領域を有する記憶手段と、
前記セキュアな記憶領域へのデータの書き込みを許可するか否か、及び前記セキュアな記憶領域からの前記データの読み出しを許可するか否かを判別する認証手段と、
前記認証手段が前記データの書き込みを許可した場合に前記データを前記セキュアな記憶領域に書き込む書込手段と、
前記認証手段が前記データの読み出しを許可した場合に前記データを前記セキュアな記憶領域から読み出して音楽及び／又は映像を再生する再生手段とを備えたことを特徴とするＡＶシステム。
【請求項２】
請求項１に記載のＡＶシステムであって、
前記書込手段は、前記データを記録した媒体から前記データをリッピングして前記セキュアな記憶領域に書き込むことを特徴とするＡＶシステム。
【請求項３】
請求項１又は請求項２に記載のＡＶシステムであって、
前記再生手段は、ストリーミング方式で音楽及び／又は映像を再生することを特徴とするＡＶシステム。
【請求項４】
セキュアな記憶領域へのデータの書き込みを許可するか否か、及び前記セキュアな記憶領域からの前記データの読み出しを許可するか否かを判別するステップと、
前記データの書き込みが許可された場合に前記データを前記セキュアな記憶領域に書き込む書込ステップと、
前記データの読み出しが許可された場合に前記データを前記セキュアな記憶領域から読み出して音楽及び／又は映像を再生する再生ステップとを備えたことを特徴とするＡＶコンテンツ記録再生方法。
【請求項５】
請求項４に記載のステップをコンピュータに実行させるためのＡＶコンテンツ記録再生プログラム。
【請求項６】
セキュアな記憶領域からのデータの読み出し許可を求める認証手段と、
前記データの読み出し許可を得た場合に前記データを前記セキュアな記憶領域から読み出して音楽及び／又は映像を再生する再生手段とを備えたことを特徴とするＡＶ機器。
【請求項７】
セキュアな記憶領域へのデータの書き込み許可を求める認証手段と、
前記データの書き込み許可を得た場合に前記データを前記セキュアな記憶領域に書き込む書込手段とを備えたことを特徴とするＡＶ機器。
【請求項８】
サーバと、前記サーバにネットワークを経由して接続されたクライアントとを備えたＡＶシステムであって、
前記サーバは、
セキュアな記憶領域を有する記憶手段と、
前記クライアントを認証する認証手段とを含み、
前記クライアントは、
前記認証手段により認証された場合に前記データを前記セキュアな記憶領域から読み出して音楽及び／又は映像を再生する再生手段を含むことを特徴とするＡＶシステム。
【発明の詳細な説明】
【発明の属する技術分野】
【０００１】
本発明は、音楽及び／又は映像を記録しかつ再生するＡＶ（Ａｕｄｉｏ／Ｖｉｄｅｏ）システムに関し、さらに詳しくは、著作権保護機能を有するＡＶシステムに関する。
【０００２】
【従来の技術】
近年、ハードディスクを記録媒体とするＡＶ機器が提供されている。たとえばハードディスクレコーダでは、音楽や映像などのＡＶコンテンツをハードディスクに保存し、それらを適時再生することが可能である。また、汎用のパソコン（ＰＣ）でも、ＣＤ（コンパクトディスク）リッパを用いれば、音楽ＣＤをハードディスクに複製し、その音楽を適時再生することが可能である。しかし、これらには著作権保護の観点から問題がある。
【０００３】
ＳＣＭＳ（シリアルコピーマネージメント）によれば、オリジナルのコンテンツを１回限り複製すること、つまり２次複製物（子コピー）を作成することは許容されるが、２次複製物をさらに複製すること、つまり３次複製物（孫コピー）を作成することは禁止される。したがって、オリジナルのコンテンツをハードディスクに複製することは許容される。しかし、このハードディスクに複製されたコンテンツ（２次複製物）はインターネットなどを経由して不特定多数に容易に配布可能であるから、３次複製物が出回るおそれがある。
【０００４】
このような３次複製物の氾濫を防止するため、従来はコンテンツを暗号化するのが一般的である。しかし、暗号化技術は、機器自体のハードウェア及びソフトウェアを複雑にするだけでなく、エンドユーザにとっても極めて使いづらいものになる。その結果、暗号化技術を用いた機器は普及しにくいという問題があった。
【０００５】
【発明が解決しようとする課題】
本発明の主たる目的は、著作権保護機能を有するＡＶシステムを提供することである。
【０００６】
本発明のもう１つの目的は、ＡＶコンテンツを暗号化することなく簡易な方法で著作権を保護することが可能なＡＶシステムを提供することである。
【０００７】
本発明のさらにもう１つの目的は、ＡＶコンテンツを１回限り複製することを許容し、その複製物をさらに複製することを防止することが可能なＡＶシステムを提供することである。
【０００８】
【課題を解決するための手段】
本発明によるＡＶシステムは、記憶手段と、認証手段と、書込手段と、再生手段とを備える。記憶手段は、セキュアな記憶領域を有する。認証手段は、セキュアな記憶領域へのデータの書き込みを許可するか否か、及びセキュアな記憶領域からのデータの読み出しを許可するか否かを判別する。書込手段は、認証手段がデータの書き込みを許可した場合にデータをセキュアな記憶領域に書き込む。再生手段は、認証手段がデータの読み出しを許可した場合にデータをセキュアな記憶領域から読み出して音楽及び／又は映像を再生する。
【０００９】
このＡＶシステムでは、データは書き込みが許可された場合に限りセキュアな記憶領域に書き込まれる。したがって、音楽や映像などのＡＶコンテンツはセキュアな記憶領域に複製されることになるので、その複製物の複製物（３次複製物）が作成されるのを防止することができる。また、データは読み出しが許可された場合に限り読み出されるので、その複製物に基づいて音楽や映像を再生することができる。その結果、音楽や映像の著作権を保護することができる。
【００１０】
好ましくは、書込手段は、データを記録した媒体（音楽ＣＤなど）からデータをリッピングしてセキュアな記憶領域に書き込む。
【００１１】
好ましくは、再生手段は、ストリーミング方式で音楽及び／又は映像を再生する。
【００１２】
この場合、データが読み出されながら音楽や映像が再生されるので、データがダウンロードされ、３次複製物が作成されるのを防止することができる。
【００１３】
【発明の実施の形態】
以下、本発明の実施の形態を図面を参照して詳しく説明する。図中同一又は相当部分には同一符号を付してその説明を援用する。
【００１４】
図１を参照して、本発明の実施の形態によるオーディオシステムは、ホームサーバ１０と、パソコン１２と、ネットワーク型オーディオ機器１４とを備える。
【００１５】
ホームサーバ１０は、大容量ハードディスク１６と、ＣＰＵなどの演算処理部１８とを有する。ハードディスク１６は、セキュアな記憶領域であるシステム領域２０と、ノンセキュアな記憶領域であるユーザ領域２２とに分割される。システム領域２０にはホームサーバ１０のシステム自身又は特権ユーザしかアクセスすることができないが、ユーザ領域２２には一般ユーザもアクセスすることができる。システム領域２０には、システムファイルの他、著作権保護が必要な楽曲データが格納される。楽曲データは、ＭＰ３、ＷＭＡ、ＰＣＭなど、さまざまなフォーマットを有するが、暗号化されていない。一方、ユーザ領域２２には、テレビの録画データ、家族の写真、住所録など、著作権保護が不要なデータが格納される。
【００１６】
パソコン１２は、ＬＡＮ２４を経由してホームサーバ１０に接続され、ホームサーバ１０に対してクライアントとして機能する。パソコン１２には、専用アプリケーションソフトウェアであるＡＶコンテンツ記録再生プログラムがインストールされる。インストールの結果、パソコン１２は、音楽ＣＤ２６から楽曲データを取り出してホームサーバ１０のハードディスク１６上に複製するリッピング部２８と、ホームサーバ１０から楽曲データを取得して音楽を再生する再生部３０とを有する。再生部３０は、ホームサーバ１０から楽曲データを取得する機能、圧縮された楽曲データをデコードする機能、楽曲データをＤＡ（デジタル−アナログ）変換する機能などを有する。再生部３０にはスピーカ３２が接続され、再生された音楽はスピーカ３２から出力される。
【００１７】
ネットワーク型オーディオ機器１４もまた、ＬＡＮ２４を経由してホームサーバ１０に接続され、ホームサーバ１０に対してクライアントとして機能する。ネットワーク型オーディオ機器１４には、専用アプリケーションソフトウェアである再生プログラムがインストールされる。インストールの結果、オーディオ機器１４はパソコン１２と同様に再生部３０を有するが、パソコン１２と異なりリッピング部２８を有していない。
【００１８】
図２に、ホームサーバ１０のハードディスク１６のディレクトリ構造を示す。
【００１９】
ハードディスク１６は、ディレクトリ／ｓｅｒｖｅｒを含む。ディレクトリ／ｓｅｒｖｅｒは、ディレクトリ／ｂｉｎ及び／ｓｏｎｇｓとを含む。ディレクトリ／ｓｅｒｖｅｒ、／ｂｉｎ及び／ｓｏｎｇｓは、システム領域２０内に形成される。ディレクトリ／ｂｉｎには、クライアント（パソコン１２及びネットワーク型オーディオ機器１４）の認証、リッピング及び再生処理に対する応答処理をホームサーバ１０に実行させるためのプログラムが記録される。ディレクトリ／ｓｏｎｇｓには、パソコン１２により音楽ＣＤ２６からリッピングされた多数の楽曲データが記録される。ディレクトリ／ｓｅｒｖｅｒ、／ｂｉｎ及び／ｓｏｎｇｓは、パソコン１２及びネットワーク型オーディオ機器１４に限りアクセス可能である。
【００２０】
ハードディスク１６はさらに、ディレクトリ／ｈｏｍｅを含む。ディレクトリ／ｈｏｍｅは、ディレクトリ／ｕｓｅｒ−Ａ及び／ｕｓｅｒ−Ｂを含む。ディレクトリ／ｕｓｅｒ−Ａは、ディレクトリ／ｄｉｒ−Ａ１、／ｄｉｒ−Ａ２及び／ｄｉｒ−Ａ３などを含む。ディレクトリ／ｕｓｅｒ−Ａ、／ｄｉｒ−Ａ１〜／ｄｉｒ−Ａ３は、ユーザＡ用のユーザ領域２２内に形成される。ディレクトリ／ｕｓｅｒ−Ａ、／ｄｉｒ−Ａ１〜／ｄｉｒ−Ａ３は、ユーザＡに限りアクセス可能である。ディレクトリ／ｕｓｅｒ−Ｂは、ディレクトリ／ｄｉｒ−Ｂ１、／ｄｉｒ−Ｂ２及び／ｄｉｒ−Ｂ３などを含む。ディレクトリ／ｕｓｅｒ−Ｂ、／ｄｉｒ−Ｂ１、〜／ｄｉｒ−Ｂ３は、ユーザＢ用のユーザ領域２２内に形成される。ディレクトリ／ｕｓｅｒ−Ｂ、／ｄｉｒ−Ｂ１、〜／ｄｉｒ−Ｂ３は、ユーザＢに限りアクセス可能である。
【００２１】
次に、上記オーディオシステムの動作を説明する。
【００２２】
［認証処理］
本オーディオシステムは、後述するリッピング処理又は再生処理を行う前に、ホームサーバ１０及びパソコン１２間又はホームサーバ１０及びネットワーク型オーディオ機器１４間で認証処理を行う。パソコン１２の認証処理もネットワーク型オーディオ機器１４の認証処理も同じであるから、ここではパソコン１２を例に説明する。
【００２３】
図３を参照して、パソコン１２でＡＶコンテンツ記録再生プログラムを起動すると（ネットワーク型オーディオ機器１４の場合は電源を投入し、ＡＶコンテンツ再生プログラムを起動すると）、パソコン１２はまず、ＬＡＮ２４上で稼働中のサーバを探索する（Ｓ１０１）。具体的には、パソコン１２は、所定のマジックワードをＬＡＮ２４上でブロードキャストする（Ｓ１０１）。ホームサーバ１０は、稼働中であれば、そのマジックワードをそのままパソコン１２に返信するとともに、自身のＩＰアドレス及びポート番号をパソコン１２に送信する（Ｓ２０１）。
【００２４】
続いて、パソコン１２は、受信したホームサーバ１０のＩＰアドレス及びポート番号に基づいて、コマンドやステータスなどを送受信するために必要な接続を確立するようホームサーバ１０に要求する（Ｓ１０２）。ホームサーバ１０はこの要求を受け付け、パソコン１２との接続を確立する（Ｓ２０２）。
【００２５】
続いて、パソコン１２は、自身のクライアント情報をホームサーバ１０に送信する（Ｓ１０３）。クライアント情報は、接続の有無を示すフラグ、クライアントの種類（パソコン１２、ネットワーク型オーディオ機器１４など）を示すクライアントタイプ、クライアントの現在のステータスなどを含む。ホームサーバ１０は、このクライアント情報を受信し（Ｓ２０３）、これをデータベースに保存することによりパソコン１２やネットワーク型オーディオ機器１４などのクライアントを管理する。
【００２６】
以上により、ホームサーバ１０はパソコン１２を認証する。パソコン１２はホームサーバ１０に認証されて初めて、後述するリッピング処理又は再生処理を行うことができる。
【００２７】
同様に、ホームサーバ１０はネットワーク型オーディオ機器１４を認証する。ネットワーク型オーディオ機器１４もホームサーバ１０に認証されて初めて、後述する再生処理を行うことができる。
【００２８】
［リッピング処理］
図４を参照して、パソコン１２は、後述するリッピングを行う前に、上述した認証処理を行う（Ｓ１０）。続いて、パソコン１２は認証の成否を判別し（Ｓ１１）、認証に失敗した場合、リッピングできない旨をユーザに通知し、処理を終了する（Ｓ１２）。
【００２９】
一方、認証に成功した場合、パソコン１２はリッピング処理を行う（Ｓ１３）。具体的には、リッピング部２８は、音楽ＣＤ２６から楽曲データを読み出し、ホームサーバ１０のハードディスク１６に書き込む。ここでの楽曲データは、パソコン１２のハードディクスに格納されることなく、直接ホームサーバ１０のハードディスク１６に格納される。また、楽曲データは、ユーザ領域２２ではなく、システム領域２０内のディレクトリ／ｓｏｎｇｓに格納される。
【００３０】
パソコン１２が音楽ＣＤ２６をホームサーバ１０にリッピングし終えると、ホームサーバ１０はその新しい楽曲データに基づいて曲管理データベースを更新する（Ｓ１４）。曲管理データベースは、ハードディスク１６に保存されている楽曲データを管理するためのものである。複数の楽曲をリッピングする場合は、上記ステップＳ１３及びＳ１４を繰り返し行う。
【００３１】
パソコン１２は以上のようにリッピングを行い、処理を終了する（Ｓ１５）。
【００３２】
［再生処理］
図５を参照して、パソコン１２はまた、後述する再生を行う前に、前述した認証処理を行う（Ｓ１０）。続いて、パソコン１２は認証の成否を判別し（Ｓ２１）、認証に失敗した場合、再生できない旨をユーザに通知し、処理を終了する（Ｓ２２）。
【００３３】
一方、認証に成功した場合、パソコン１２は再生処理を行う（Ｓ２３）。具体的には、再生部３０は、ホームサーバ１０のハードディスク１６から楽曲データを読み出し、その楽曲データに基づいて楽曲を再生する。ここでの再生は、楽曲データを読み出しながら楽曲を再生するストリーミング方式で行われる。したがって、１つの楽曲の全データがパソコン１２のハードディスク１６にダウンロードされることはない。
【００３４】
パソコン１２は、再生を終えるまで上記再生処理を繰り返し（Ｓ２４）、再生を終えると、処理を終了する（Ｓ２５）。
【００３５】
ネットワーク型オーディオ機器１４も上記と同様に再生処理を行う。
【００３６】
ホームサーバ１０、パソコン１２及びネットワーク型オーディオ機器１４には、それぞれ上記ステップをコンピュータに実行させるためのプログラムがインストールされている。これらのプログラムは、ＣＤ−ＲＯＭなどのコンピュータ読み取り可能な記憶媒体に記録して配布することも可能であるが、記憶媒体に記憶することなく、そのままインターネットなどの電気通信回線を通じて配信することも可能である。
【００３７】
以上のように本発明の実施の形態によれば、ホームサーバ１０に認証されたパソコン１２は、一般ユーザがアクセス不可能なシステム領域２０にアクセスすることができるので、音楽ＣＤ２６から楽曲データをリッピングしてシステム領域２０に複製することができる。また、楽曲データをシステム領域２０に複製しているので、ホームサーバ１０に認証されていない他のパソコンが楽曲データをさらに複製して３次複製物（孫コピー）を作成することはできない。また、ホームサーバ１０に認証されたパソコン１２又はネットワーク型オーディオ機器１４は、システム領域２０にアクセスすることができるので、システム領域２０から楽曲データを読み出して音楽を再生することができる。また、パソコン１２又はネットワーク型オーディオ機器１４は楽曲データをストリーミング方式で読み出して音楽を再生するので、楽曲データをダウンロードして３次複製物を作成することはできない。また、本オーディオシステムは独自のプロトコルで認証を行い、楽曲データを配信しているので、配信中の楽曲データを詐取して３次複製物を作成することはできない。このように本オーディオシステムは３次複製物を作成することができないので、音楽ＣＤ２６の著作権を保護することができる。
【００３８】
また、本オーディオシステムは楽曲データを暗号化することなくホームサーバ１０に保存し、かつパソコン１２又はネットワーク型オーディオ機器１４に配信しているので、複雑なハードウェア及びソフトウェアを必要としない。
【００３９】
上記実施の形態では、本オーディオシステムをホームサーバ１０とパソコン１２とを備えたサーバクライアントシステムで構成しているが、パソコン１２のみからなるスタンドアローンで構成してもよい。この場合、パソコン１２は、音楽ＣＤ２６からリッピングした楽曲データをホームサーバ１０のハードディスク１６ではなく、自身のローカルハードディスクのシステム領域に複製し、その複製した楽曲データを読み出して音楽を再生する。この場合も同様に、認証されたＡＶコンテンツ記録再生プログラムのみがシステム領域にアクセスできるようにする。
【００４０】
上記実施の形態では、パソコン１２は、音楽ＣＤ２６を直接ホームサーバ１０のハードディスク１６にリッピングしているが、一旦自身のハードディスク（ローカルハードディスク）にリッピングし、それをホームサーバ１０のハードディスク１６に転送してもよい。この場合、パソコン１２のハードディクス上の楽曲データをホームサーバ１０のハードディスク１６にコピーするのではなく移動する。すなわち、パソコン１２のハードディクス上の楽曲データは削除する。
【００４１】
上記実施の形態では音楽ＣＤから楽曲データをリッピングしているが、インターネット上の音楽配信サイトから楽曲データをダウンロードしてシステム領域に保存するようにしてもよい。
【００４２】
上記実施の形態ではパソコン１２はリッピング部２８及び再生部３０の両方を備えているが、一方のみを備えていてもよい。パソコンが再生部３０のみを備えている場合、ネットワーク型オーディオ機器１４と同じ機能を有することになる。
【００４３】
上記実施の形態は音楽コンテンツを再生するオーディオシステムに向けられているが、本発明は映像コンテンツを再生するＡＶシステムにも適用可能である。
【００４４】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【図１】本発明の実施の形態によるオーディオシステムの全体構成を示す機能ブロック図である。
【図２】図１中のホームサーバにおけるハードディスクのディレクトリ構造を示す図である。
【図３】図１に示したオーディオシステムによる認証処理を示すフロー図である。
【図４】図１に示したオーディオシステムによるリッピング処理を示すフロー図である。
【図５】図１に示したオーディオシステムによる再生処理を示すフロー図である。
【符号の説明】
１０　ホームサーバ
１２　パソコン
１４　ネットワーク型オーディオ機器
１６　ハードディスク
２０　システム領域
２８　リッピング部
３０　再生部
【図１】
2004063032.tif 000003
【図２】
2004063032.tif 000004
【図３】
2004063032.tif 000005
【図４】
2004063032.tif 000006
【図５】
2004063032.tif 000007